(57)【要約】【課題】  現在主流とされる食用パンに付属する留め具について，包み袋の密閉取り出しに，多少掛かりぎみなところを課題とされる。【解決手段】一体に形成された８の字形状リング体の背面並びに補助輪などこれらの弾性機能より全体のバランスを図り包み袋の密閉取り出しに支障がないよう構成されている。  本発明は，こうした基本操作により問題を解決しようとするものである。【特許請求の範囲】
【請求項１】
前輪と後輪の二つの輪を８の字状に形成され，前輪の正面中央地点に設けられた貫通切り込みより左右へ二分する二重の輪となった前輪並びに，その内側へ設定される補助輪の半円形リングと後輪からなる背面の弾性力の応用を軸に構成され，こうした機能の充実より前輪の正面中央を貫通する二分切り込みの線上に沿って，左右外方向に分かれるＶ字の開きを設けられたそのＶ字開きより，前輪の正面仕切り及び前輪後輪間の中仕切りのそれら中央地点を直線上に貫通するよう切り込まれ二分され，こうして前輪内部が軟質性の密閉に適正の二重の輪となる弾性を有する補助輪を設けられていて，Ｖ字に開く開口より補助輪内部補助室への袋線物の密閉，束ね閉じ，取り出しの扱いがスム―ズに行われるようになっている。
このように，構成される後輪背面の弾性力と全体の機能バランスを鑑みて，算用数字８形状のリング体とされたことを特徴とする軟質性袋物及び線状物の密閉束ね閉じ留め具。
【請求項２】
前輪内側の半円形リング両端の仕切り部分と湿気を嫌う中味の商品保護や物の匂い封じに，密閉重視の弾性を有する補助輪を左右両面より一体に形成され，こうした構成で使用時に前輪の内側と補助輪が接触しないよう正面，中の両仕切りにより隙間を設けられたことを特徴とする請求項１記載の軟質性袋物及び線状物の密閉束ね閉じ留め具。
【請求項３】
８の字形状リング体の括れた箇所の内部中仕切りと前輪の正面仕切りのこれら両中央地点を直線上に切り込まれ，その貫通する左右に離れ二分する切り込みを中心に外部へ開くＶ字口より，ねじ絞られた軟袋物を挟み込み円形の補助輪内，補助室により密閉されることを特徴とする請求項１，２記載の軟質性袋物及び線状物の密閉束ね閉じ留め具。
【請求項４】
８の字形状リング体の前輪内部の補助輪及び後輪の背面部分をしなやかさを出すために薄めに形成され，補助輪と後輪の弾性力を応用して，全体の機能バランスを図り，軟体物の挟み入れ出しの使い勝手をスム―ズになされたことを特徴とする請求項１，２，３記載の軟質性袋物及び線状物の密閉束ね閉じ留め具。
【請求項５】
硬質素材で構成された８の字形状リング体の弾性機能の充実に後輪の背面部分の内，外両面へ，しなやかな弾力を持たせるために後輪背面の内，外両面を向かい合う位置で上から下へ縦方向に波状の溝をなす刻み目の設定，或いはその背面両面を平行に上から下へ波状の溝をなす刻み目の設定，またはその背面に硬質のバネ材等を用い，こうして三者の機能構成のもとより，後輪の背面が密閉する袋物の素材性質に適応し前述の三者機能がうまく働くよう形成されたことを特徴とする請求項１，２，３，４記載の軟質性袋物及び線状物の密閉束ね閉じ留め具。
【請求項６】
８の字形状リング体の後輪に同円形状のバネ材を外部から嵌め込む為の窪み並びに，それらバネ材を両端のフックで固定するために，後輪の括れ周りに，外部より内部方向へ両面または，片面に隙溝或いは隙穴を設けられたことを特徴とする請求項４，５記載の軟質性袋物及び線状物の密閉束ね閉じ留め具。
【請求項７】
前輪の正面中央に設けられた二分する貫通切り込み境目より，左右外方向へ突出するＶ字口を袋線物の密閉束ね閉じ挿入口として形成され，こうしたＶ字口より８の字形状リング体の全体のバランスを機能構成によって充実を図られたことを特徴とする請求項１，２，３，４，５，記載の軟質性袋物及び線状物の密閉束ね閉じ留め具。
【請求項８】
補助輪を設けた二重の輪となる前輪の活用用途を軟質性袋物に限らず，線状物の束ね留め等，前輪の二重構成による他方面での利用を可能であるよう形成されたことを特徴とする請求項１，４，６記載の軟質性袋物及び線状物の密閉束ね閉じ留め具。
【発明の詳細な説明】
【技術分野】
【０００１】  本発明は，食品や菓子類に用いられる包袋に，家庭或いは業者から排出される生ゴミの処理袋など食品，菓子類の湿気や虫の侵入から中味の保護と生ゴミの臭い防止など，８の字形状リング体の有する弾性，並びに二重構造と輪の機能構成による密閉及び束ね閉じ留め具に関する。
【背景技術】
【０００２】  生活と密接な関わりを持つ日用品には，シンプルなものが多く，その簡素さから製造に於けるコストの面，或いはグロ−バル化による世界との競争を強いられ利益率が低迷する企業は少なく無く，特に中小企業あたりでは製造コストの削減を余儀なくされ，現在の景気情勢ではまだ本物とはいえず，暫くは設備投資や先行きの不透明感などから新技術開発の鈍化は避けられそうにないのが現状である。
【発明の開示】
【発明が解決しようとする課題】
【０００３】  手頃の大きさに加工された食パンの包み袋に口閉じ用として，付属された留め器具は至ってシンプルな構造になっていて，平面体の一方に切り込みとその中心を円形に切り抜かれこうして構成された留め器具の使用方法では，留め具本体を捻って切り込みの隙間よりねじ入れ円形の切り抜きで留めるようになっている。
この留め器具の操作では，包み袋の挿入取り出しに留め器具をひねる動作により負荷を生じ挿入取り出しが困難なことが往々にしてある。【０００４】  他の方法では代用留め具が主流で，例えば，輪ゴム留めやクリップ留め或いは軟質性樹脂に針金を通した金帯留めなど，様々な代用留め具を応用されてるのが実情である。
こうした流れは簡単で単純な部分の開発により，低価格の売価を補うためのコストダウンを重点とする事情からである。
【課題を解決するための手段】
【０００５】  本発明は，（１），前輪と後輪の二つの輪を８の字状に形成され，前輪の正面中央地点に設けられた貫通切り込みより左右へ二分する二重の輪となった前輪並びにその内側へ設定される補助輪の半円形リングと後輪からなる背面の弾性力の応用を軸に構成され，こうした機能の充実より前輪の正面中央を貫通する二分切り込みの線上に沿って，左右外方向に分かれるＶ字の開きを設けられたそのＶ字開きより前輪の正面仕切り及び前輪後輪間の中仕切りのそれら中央地点を直線上に貫通するよう切り込まれ二分され，こうして前輪内部が軟質性の袋閉じに適正の二重の輪となる弾性を有する補助輪を設けられていて，Ｖ字に開く開口より，補助輪内部補助室への袋線物の密閉，束ね閉じ，取り出しの扱いが，スム−ズに行われるようになっている。【０００６】  このように構成される後輪背面の弾性力と全体の機能バランスを鑑みて，算用数字８形状のリング体に存する。【０００７】  そして，（２），前輪内側の半円形リング両端の仕切り部分と湿気を嫌う中味の商品保護や物の匂い封じに密閉重視の弾性を有する補助輪を左右両面より一体に形成され，こうした構成で使用時に，前輪の内側と補助輪が接触しないよう正面，中の両仕切りにより隙間の設定に存する。【０００８】  そしてまた，（３），８の字形状リング体の括れた箇所の内部中仕切りと前輪の正面仕切りのこれら両中央地点を直線上に切り込まれ，その貫通する左右に離れ二分する切り込みを中心に外部へ開くＶ字口より，ねじ絞られた軟袋物を挟み込み円形の補助輪内，補助室での密閉に存する。【０００９】  そしてまた，（４），８の字形状リング体の前輪内部の補助輪及び後輪の背面部分をしなやかさを出すために薄めに形成され，補助輪と後輪の弾性力を応用して，全体の機能バランスを図り，軟体物の挟み入れ出しによる使い勝手に存する。【００１０】  そしてまた，（５），硬質素材で構成された８の字形状リング体の弾性機能の充実に後輪の背面部分の内，外両面へ，しなやかな弾力を持たせるために後輪背面の内，外両面を向かい合う位置で上から下へ縦方向に波状の溝を成す刻み目の設定，或いはその背面両面を平行に上から下へ波状の溝を成す刻み目の設定，またはその背面に硬質のバネ材などを用い，こうして三者の機能構成のもとより，後輪の背面が密閉する袋物の素材性質に適応し前述の三者機能の働きに存する。【００１１】  そしてまた，（６），８の字形状リング体の後輪に同円形状のバネ材を外部から嵌め込む為の窪み，並びにそれらバネ材を両端のフックで固定するために，後輪の括れ周りに外部より内部方向へ両面，または片面に隙溝或いは隙穴の設定に存する。【００１２】  そしてまた，（７），前輪の正面中央に設けられた二分する貫通切り込み境目より，左右外方向へ突出するＶ字口を袋線物の密閉束ね閉じ挿入口として形成され，こうしたＶ字口より８の字形状リング体の全体のバランスを機能構成の充実に存する。【００１３】  そしてまた，（８），補助輪を設けた二重の輪となる前輪の活用用途を軟質性袋物に限らず，線上物の束ね留めなど，前輪の二重構成による他方面での活用に存する。
【発明の効果】
【００１４】  上記の通り構成された袋閉じ留め具は，前輪の前部表面からＶ字状に突出する開口より包み袋を挿入し，二重構造の補助室内でその包み口を密閉される。
そして，これら機能の充実を図る上で，前輪内部の弾性を有する補助輪と後輪の背面部を弾性力の為の厚み調整から縦に波状の刻み目，或いはバネ材などの応用で，結果８の字形状リング体全体が，調和のとれたバランスのよい，軟質性袋物及び線状物の密閉束ね閉じ留め具である。
【発明を実施するための最良の形態】
【００１５】  前輪を二重の輪にすることにより，その前輪内部に設ける弾性を有する伸縮自在の補助輪，補助室への軟質性袋物や線状物の挿入にＶ字口を介し密閉束ね閉じのワンタッチ操作を見出す。
また，これら上記操作に後輪背面の弾性バネの役割は重要で，補助室での密閉束ね閉じ機能の助成に弾性バネによるソフトタッチの感覚を見出す。
上記のこうした構成より８の字形状リング体の一体化及び機能の充実を得る。【００１６】〔第１の実施の形態〕
本発明は．食品や菓子など食べ物の包み袋に湿気，或いは虫の侵入防止や線状物などの束ね閉じに応用できるよう構成されていて，日ごろ活用される日用品では，簡単な構造より使い勝手のよさを求められ，こうしたニ−ズの要求にワンタッチ操作の８の字形状リング体を編み出し，それらの要望に答えるものである。【００１７】  上記の機能は，８の字形状リング体Ｅ内部の前輪１，後輪Ｆ間の中仕切り６と前輪の正面仕切り５の中心を左右平行に二分され，二重の輪となる前輪の正面切り込み７よりＶ字に開く左右へ突出する両耳間のＶ字口Ｇより，ねじ絞りの包み袋を挿入し，そのまま口もとを前輪内部の補助室Ｈへ差し入れて，こうして包み袋の密閉を完了される。【００１８】  そしてこの時８の字形状リング体Ｅの状況は，リング体内部の中仕切り６と前輪の正面仕切り５の中心部にそれぞれ設けられた切り込み隙間７，８を介して包み袋の密閉状態をリング体後輪の背面９並びに二重となる貫通隙間４を設けられた前輪の補助室Ｈを中心に全体機能が均衡に作動することにより包み袋の口を完全に閉じられるよう構成されている【００１９】〔第２の実施の形態〕
ここでは，線状物も同じく，包み袋の密閉と取り出し手順を説明する。
８の字形状リング体Ｅの先端部分が耳３の格好をしたＶ字口Ｇから，包み袋の口もとを両手指先で軽くねじ絞られた部分をＶ字点の切り込み７より差し入れて，その大きく開く隙間を通し補助室Ｈより密閉される運びとなる。
そして，これら包み袋の閉じひらきに対する一連の操作を後輪Ｆ内部の取っ手部Ｋで行うようになる。
こうして，後輪の背面９と補助輪２の弾性力により良いバランスを保持され全体が釣り合いのとれた留め具になっている。
【産業上の利用可能性】
【００２０】  本発明は，日常的に使う日用品に関するもので，食品，菓子類の包み袋や線状物などそれらの密閉，束ね閉じに使用時の満足感とデザイン的美感を表現され，こうして８の字形状リンク体は弾性と全体のバランスにより完成されるもので，これらを構成する元となる素材は，軟質性の物が好適でプラスチックでは，材質を問わず全般に利用可能である。
また，バネ材など弾性を有する素材には，金属，木，竹，ゴム，炭素繊維，紙，グラスファイバ−なども上げられ利用を可能とするものである。
上記で示されていない袋閉じ及び束ね閉じのこれら兼用留め具には，業者などからでる生ゴミや生産での野菜を漬ける袋物など密閉に関し幅広い範囲で利用を可能とされるものである。
線状物については，ヘアピン或いは切り花など簡単な束ね閉じに利用を可能とするものである。
【図面の簡単な説明】
【００２１】
【図１（Ａ）】図１（Ａ）は，軟質性袋物及び線状物の密閉束ね閉じ留め具を示す正面手前上からの立体図である。
【図１（Ｂ）】図１（Ｂ）は，軟質性袋物及び線状物の密閉束ね閉じ留め具の断面図である。
【図１（Ｃ）】図１（Ｃ）は，後輪背面の内，外両面に縦方向へ波状の刻み目を示す正面手前上からの立体図である。
【図１（Ｄ）】図１（Ｄ）は，フック式バネ材の固定に隙溝並びに隙穴及び窪みを示す正面手前上からの立体図である（後輪の裾を少し広げてポイントをひと目で表す）
【符号の説明】
【００２２】    １      前輪
２      補助輪
３      Ｖ字状耳（同形左右の向かい合せ）
４      貫通隙間
５      正面仕切り
６      中仕切り
７      正面切り込み隙間
８      中切り込み隙間
９      背面
Ｅ      ８の字形状リング体
Ｆ      後輪
Ｇ      Ｖ字口
Ｈ      補助室
Ｋ      取っ手部
Ｒ      ８の字形状リング体断面（左右同形）
Ｔ      背面切り口
Ｍ      隙溝
Ｐ      隙穴
Ｓ      外面波状刻み目（溝）
Ｕ      内面波状刻み目（溝）
Ｙ      窪み
【図１（Ａ）】
2017105529.tif 000002
【図１（Ｂ）】
2017105529.tif 000003
【図１（Ｃ）】
2017105529.tif 000004
【図１（Ｄ）】
2017105529.tif 000005